(57)【要約】【課題】軒樋を優れた意匠性で且つ高い支持強度にて保持できる軒先構造を提供する。【解決手段】本発明は、軒先側の側面上端に係合受部を備える軒樋と、  該軒樋の開放上面を覆うカバー材と、一端に前記軒樋の係合受部と係合する係合部を有すると共に他端に建築物の外装下地又は躯体に固定される固定部を有する吊り材と、からなり、前記軒樋の軒先側の側面上端を、建築物の外装下地又は躯体に固定した吊り材にて抱持状に保持していることを特徴とする。【選択図】図１
2019031825.tif 000002
【特許請求の範囲】
【請求項１】
軒先側の側面上端に係合受部を備える軒樋と、
該軒樋の開放上面を覆うカバー材と、
一端に前記軒樋の係合受部と係合する係合部を有すると共に他端に建築物の外装下地又は躯体に固定される固定部を有する吊り材と、からなり、
前記軒樋の軒先側の側面上端を、建築物の外装下地又は躯体に固定した吊り材にて抱持状に保持していることを特徴とする軒先構造。
【請求項２】
吊り材は、帯状材であることを特徴とする請求項１に記載の軒先構造。
【請求項３】
吊り材は、カバー材を固定する係止部を有することを特徴とする請求項１又は２に記載の軒先構造。
【発明の詳細な説明】
【技術分野】
【０００１】
本発明は、軒樋を優れた意匠性で且つ高い支持強度にて保持できる軒先構造に関する。
【背景技術】
【０００２】
従来、屋根の樋としては、軒先に設ける軒樋が一般的に広く知られている。
例えば特許文献１には、複数の通孔を設けた屋根受け金具７や水切り８を介して軒樋９を取り付けた構造が記載され、特許文献２には、軒樋吊具を介して軒樋４を取り付けた構造が記載され、これらの軒樋９，４としては、丸型や箱形の断面構造が記載されている。
また、特許文献３には、軒樋１の前方を化粧カバー材４で覆う構成が記載され、特許文献４には、樋受面２４を有する軒樋受金物２０の前面側に化粧モール２７を取り付ける構成が記載されている。
【先行技術文献】
【特許文献】
【０００３】
【特許文献１】特開平１１−１７０８４４号公報
【特許文献２】特開２００１−１２５０９７号公報
【特許文献３】特開２００６−２３３５３６号公報
【特許文献４】特開２００３−２３９４７４号公報
【発明の開示】
【発明が解決しようとする課題】
【０００４】
しかしながら、前記特許文献１，２の樋構造は、軒先としての意匠性が乏しく、雨水を受けるためだけの機能のみを採用したものであり、見栄えが悪く、意匠性に乏しいものであった。
また、前記特許文献３，４の樋金具は、前述のように軒樋や軒樋受金物に化粧材を取り付けて軒先を装飾するので、意匠性が改善されるものの、金具の形状や軒樋の形状に制約を受け、汎用性の低いものであった。さらに、これらの構造では、樋吊り金具等が躯体側のみに固定された片持ち状であるため、降雪時等に破損する恐れのあるものであった。また、室内への漏水リスク、構造的に複雑でコスト高になるなどのデメリットもあった。さらに、屋根勾配毎に部材を変更する必要があった。しかも軒樋を化粧材で覆う構造では、メンテナンスが困難となるという欠点もあった。
【０００５】
そこで、本発明は、軒樋を優れた意匠性で且つ高い支持強度にて保持できる軒先構造を提案することを目的とする。
【課題を解決するための手段】
【０００６】
本発明は、上記に鑑み提案されたものであって、軒先側の側面上端に係合受部を備える軒樋と、該軒樋の開放上面を覆うカバー材と、一端に前記軒樋の係合受部と係合する係合部を有すると共に他端に建築物の外装下地又は躯体に固定される固定部を有する吊り材と、からなり、前記軒樋の軒先側の側面上端を、建築物の外装下地又は躯体に固定した吊り材にて抱持状に保持していることを特徴とする軒先構造を提案するものである。
【０００７】
また、本発明は、前記軒先構造において、吊り材は、帯状材であることを特徴とする軒先構造をも提案する。
【０００８】
また、本発明は、前記軒先構造において、吊り材は、カバー材を固定する係止部を有する吊り材は、帯状材であることを特徴とする軒先構造をも提案する。
【発明の効果】
【０００９】
本発明の軒先構造は、軒樋の軒先側の側面上端を、建築物の外装下地又は躯体に固定した吊り材にて抱持状に保持している構造であって、軒樋を優れた意匠性で且つ高い支持強度にて保持できるものである。また、吊り材の材質や形状を限定しないし、カバー材の材質や形状を限定しないので、軒樋を優れた意匠性で且つ高い支持強度にて保持できる。
【００１０】
また、吊り材が帯状材である場合、適宜に複数の吊り材を用いればよく、カバー材の導水性も妨げられない。更に狭幅の金属板材を原材料とする成形品とする吊り材を用いることができるため、資材確保が容易である。
【００１１】
また、吊り材がカバー材を固定する係止部を有する場合、吊り材がカバー材の保持にも寄与するので、例えばカバー材の取付強度が低いとか、強風に対する耐久性が低い軽量素材が用いられている際にもカバー材の外れや飛散を防止できる。更に後述する図示実施例（第３実施例）のように金属メッシュ材をカバー材を用いることができる。
【図面の簡単な説明】
【００１２】
【図１】（ａ）本発明の第１実施例（軒先構造）において吊り材を配設した状態を示す斜視図、（ｂ）カバー材を配設した状態を示す斜視図である。
【図２】（ａ）第１実施例の軒先構造を示す側断面図、（ｂ）用いたカバー材及び吊り材を示す側面図である。
【図３】（ａ）本発明の第２実施例の軒先構造を示す側断面図、（ｂ）用いた吊り材を示す側面図である。
【図４】（ａ）本発明の第３実施例の軒先構造を示す斜視図、（ｂ）その側断面図である。
【発明を実施するための形態】
【００１３】
本発明の軒先構造は、軒先側の側面上端に係合受部を備える軒樋と、該軒樋の開放上面を覆うカバー材と、一端に前記軒樋の係合受部と係合する係合部を有すると共に他端に建築物の外装下地又は躯体に固定される固定部を有する吊り材と、からなり、前記軒樋の軒先側の側面上端を、建築物の外装下地又は躯体に固定した吊り材にて抱持状に保持していることを特徴とする。
【００１４】
本発明の軒先構造は、前述のように軒樋とカバー材と吊り材とからなり、軒樋のみが通し材であって、カバー材は通し材であってもよいし複数のピース材の組み合わせであってもよく、吊り材は、一端に係合部を有し、他端に固定部を有するものであれば、特に限定するものではなく、カバー材を全面的に覆わない（覆ってしまうと、カバー材の役目、降雪の堆積や落ち葉等の浸入の防止、降雨の導入を妨げる）観点から通し材よりピース材が好適に選択され、後述する図示実施例のように帯状材であることが望ましい。
【００１５】
前記軒樋は、雨水等を排水する内部空間を有するものであり、底面と二つの側面とからなる断面略Ｕ字状に形成され、軒先側の側面上端には係合受部を備えている構成である。
この軒樋の係合受部は、吊り材の一端に形成される係合部に係合されるものであればその具体的形状を限定するものではないが、後述する図示実施例のように略Ｌ字状に形成することで、内側が開放するコ字状に形成した係合部に側方（＝軒先側）から容易に係合されることができる。
なお、この軒樋は、通し材と説明したが、水漏れ等を生じないものであれば複数部材を連結した構成でもよい。
この軒樋としては、長さ方向に雨水を排水することができれば、特にその材質を限定するものではなく、各種の金属板材の成型品でも、硬質の樹脂成型品でもよい。
【００１６】
前記カバー材は、前記軒樋の開放上面を覆う部材であって、軒樋の内部に降雪が堆積したり、落ち葉等が侵入、堆積することを防止する部材であって、特にその材質（材料）を限定するものではなく、前述のように通し材でもよいし複数のピース材の組み合わせでもよい。なお、このカバー材は、軒樋の開放上面の全面を覆うものでも一部のみを覆うものでもよい。
このカバー材の表面には、雨水を内部へ導く導水口、例えば小径のスリット孔が形成され、該導水口の存在により、降雪の堆積や落ち葉等の浸入の防止も果たされる。
このカバー材としては、前述のようにその材質を問わないので、経年の使用により変形しない材料であれば、各種の金属板材の成型品でも硬質の樹脂成型品でもよい。また、ある程度は変形しても、経年に使用により脱離や飛散しないものであれば、金属メッシュ材（金網状材）でもよい。この金属メッシュ材の開口寸法については、前記導水口と同様に広過ぎると落ち葉等の侵入が生じるため、その侵入を防止して雨水を導水できるものであればよい。
なお、脱離や飛散を防止する部位を、このカバー材に形成してもよいし、軒樋又は吊り材に設けていてもよい。
【００１７】
前記吊り材は、一端に係合部を有し、他端に固定部を有する部材であって、前述のようにピース材が好ましいが、全てを金属板材の成型品や硬質の樹脂成型品のような同一の材料で作成してもよいし、係合部や固定部を金具等で形成してそれらを連結する繋ぎ部分を前記金具等とは異なる材料にて形成してもよい。なお、前記金具等とは、各種の金属製の成型品や硬質の樹脂成型品を指し、前記異なる材料とは、各種の金属製の成型品や硬質の樹脂成型品を指す。特に繋ぎ部分には、適宜な時期に交換することを前提とすれば、布材料等の有機材料を用いることもできる。
【００１８】
この吊り材の係合部は、前記軒樋に形成される係合受部に係合するものであればその具体的形状を限定するものではなく、後述する図示実施例のように内側が開放するコ字状に形成することで、略Ｌ字状に形成した係合受部を側方（＝軒先側）から容易に係合することができる。また、該係合部を係合受部に係合させた状態でビス等の固定具を打ち込んでよりズレ動きを防止して強固に取り付けるようにしてもよい。
また、この吊り材の固定部は、建築物の外装下地又は躯体に固定されるものであって、後述する図示実施例のように軒先唐草にビス等の固定具を用いて強固に固定することが望ましい。
【００１９】
なお、吊り材と、前記カバー材の配置関係は、各部材の機能（役割）を阻害しないものであれば何れが上方でも下方でも、或いは何れを先に配設してもよい。後述する図示実施例（第１，第２実施例）には、先に取り付けた吊り材の上面側にカバー材を配設する態様を示したが、第１実施例のように吊り材の係合部を軒樋の係合受部に係合させた状態でカバー材の上からビス等の固定具を打ち込むことにより両部材を強固に取り付けることができる。また、第２実施例のようにカバー材の軒端に、吊り材の係合部の外側に重合状に取り付けられる軒側係合部を形成し、カバー材の建築側端を、吊り材に設けたフック状部分（溝状部）に差し込んで取り付けることもできる。
【００２０】
後述する第３実施例では、カバー材として金属メッシュ材を用いた態様を示したが、この例では係止部としての爪状部分を設けた吊り材を用い、前記爪状部分を裏面側に倒し込んでカバー材を係止して取り付けるようにした。
なお、この例では、他の例と同様に先に吊り材を配設した後、軒樋の長さ方向から吊り材の内側に押し込むようにカバー材を配設した。
但し、このように金属メッシュ材をカバー材として用いる場合には、図示してはいないが、軒樋に対して先にカバー材を配設し、その後、その外側に吊り材をベルト状に配設することにより、吊り材自体がカバー材を押さえる役割を果たすようにしてもよい。
【００２１】
以上の軒樋、カバー材、吊り材からなる軒先構造は、軒樋の軒先側の側面上端を、建築物の外装下地又は躯体に固定した吊り材にて抱持状に保持しているものであり、軒樋を優れた意匠性で且つ高い支持強度にて保持できるものである。また、吊り材の材質や形状を限定しないし、カバー材の材質や形状を限定しないので、軒樋を優れた意匠性で且つ高い支持強度にて保持できる。
【００２２】
また、吊り材を複数の帯状材に形成した場合には、これらの吊り材がカバー材の開放上面の全面を覆うことは決してないので、カバー材の導水性も妨げられない。
【実施例１】
【００２３】
図１及び図２に示す本発明の第１実施例の軒先構造は、軒先側の側面上端に係合受部１２１を備える軒樋１と、該軒樋１の開放上面を覆うカバー材２と、一端に前記軒樋１の係合受部１２１と係合する係合部３１を有すると共に他端に建築物の外装下地（軒先唐草４）に固定される固定部３２を有する吊り材３と、からなる。
【００２４】
前記軒樋１は、雨水等を排水する内部空間を有し、底面１１と二つの側面１２，１３とからなる断面略Ｕ字状に形成され、軒先側の側面１２上端には係合受部１２１を備えている通し材である。
この第１実施例における軒樋１は、略水平状の底面１１の軒先側（図面では左側）に、三つの縦傾斜面と二つの略水平面とで構成される段状の（外）側面１２が形成され、前記底面１１の内側（図面では右側）には、略垂直状に起立する（内）側面１３が形成され、これらの底面１１及び側面１２，１３にて断面略Ｕ字状の雨水等の排水路が形成されている。
また、前記軒先側の側面１２の上端に位置する傾斜面と略水平面（＝略Ｌ字状）は、吊り材３の一端に略コ字状に形成される係合部３１に係合される係合受部１２１である。
また、前記内側面１３の下端には、隅部状の被支持部１３１が設けられている。
【００２５】
前記カバー材２は、内部に降雪が堆積したり、落ち葉等が侵入、堆積したり、鳥類等が巣作りすることを防止する部材である。
この第１実施例におけるカバー材２は、その表面（化粧面２１）には雨水を内部へ導く導水口２１１として複数の小径のスリット孔が形成され、その下端である軒先端２２が形成され、その上端付近に軒先唐草４に固定される上端部２３が形成されている。
前記軒先端２２は、化粧面２１の下端から斜め上方へ延在し、その先端を斜め下方へ折曲して後述する吊り材３の係合部３１の上端に緩く係合している。
前記上端部２３は、化粧面２１の上端付近に位置する部位であって、当該第１実施例では、建築物（５Ｃ）に固定される軒先唐草４に連絡されて取り付けられている。
【００２６】
前記吊り材３は、一端に前記軒樋１の係合受部１２１と係合する係合部３１を有すると共に他端に軒先唐草４に固定される固定部３２を有する部材である。
この第１実施例における吊り材３は、平面視が帯状の部材であって、金属板材の成型品であり、係合部３１を略コ字状に形成し、固定部３２を略平坦状に形成して上方からビス（固定具）３ｂを打ち込んで軒先唐草４に固定している。
前記係合部３１は、前記カバー材２の軒先端２２の外側に係合すると共にその内側の前記軒樋１の係合受部１２１に深く係合するものであり、図２に示すようにビス（固定具）３ｃを打ち込むことによりズレを防止すると共により確実に固定するようにしてもよい。
前記固定部３２には、前述のようにビス３ｃを打ち込むが、その内側には前記カバー材２の上端部２３が位置しているのでカバー材２もこの吊り材３と共に軒先唐草４に強固に固定される。
また、両部位３１，３２の繋ぎ部分３３は、略平坦状に形成されている。前記係合部３１は、この繋ぎ部分３３の下端から斜め上方へ延在し、その先端を斜め下方へ折曲すると共にその下端を内側へ延在させて前記軒樋１の係合受部１２１に深く係合できるように形成されている。
【００２７】
前述の軒樋１、カバー材２、吊り材３以外の構成を以下に簡単に説明する。
図中の５Ａは鼻隠し壁面、５ＢはＨ躯体、５Ｃは軒棟方向に敷設された外装下地（＝断熱材及び軽量鋼材）、５ｄはその上面に敷設された防水シートであり、６Ａは外装材、６ｆは外装材の裏面側に添設された裏貼り材である。
そして、横葺き外装材である外装材６Ａは、略平坦状の面板部６１の軒側、棟側に設けられて相互に係合する軒側成形部６２、図示しない棟側成形部を備え、外装下地５Ｃに固定された図示しない吊子等にて取り付けられ（敷設され）ている。
【００２８】
また、前記軒先唐草４は、外装下地（５Ｃ）の軒先部分に嵌合状に取り付けられる取付固定部４１を有し、該取付固定部４１の上片から軒先側へ延在して外装材６Ａの軒先端を係合させる被係合部４２と、該被係合部４２よりも更に軒先側へ突出して前記吊り材３を固定する被固定部４３と、を備える。なお、前記取付固定部４１の上片と前記被係合部４２とが、ほぼ同一直線上に設けられ、排水凹部４１１を介して連続している。この排水凹部４１１は、外装材６Ａが近接状に敷設されていることにより、該近接状空間に至った雨水等が毛細管現象等で更に水上側へ浸透することがなく、この排水凹部４１１にて雨水等を側方へ流下させることができる。
【００２９】
この軒先構造に前記軒先唐草４と共に用いられてより安定に軒樋１を保持することができる補助材として、鼻隠し壁面５Ａに固定する支持材７が用いられている。
この支持材７は、金属板材等を適宜に成形して形成され、略垂直状の縦面７１の上端を軒先側へ折り返した突出片７２が形成され、下端を略水平状に軒先側へ折り曲げて支持部（下方保持部）７３が形成され、中間には側方へ略コ字状に突出する成形部７１１が形成される連続材である。前記突出片７２の内側空間７４が、下方が開放する溝状部であって、軒樋１の内側面１３の上端が差し込まれる上方保持部である。また、前記成形部７１１の傾斜状の縦面７１１ａが鼻隠し壁面５Ａへの固定部（固着具７ｂ）であり、下部横面が化粧面７１１ｂであり、該化粧面７１１ｂが軒樋１と鼻隠し壁面５Ａとの隙間を隠すため、下方から見上げた際に美麗な外観を維持するものである。
【００３０】
この第１実施例の軒先構造の施工手順は、まず図１（ａ）に示すように前記軒先唐草４や支持材７を取り付けることにより軒樋１を配設し、その係合受部１２１に係合部３１が深く係合するように吊り材３を配設する。
具体的には前記軒先唐草４を外装下地（５Ｃ）の軒先部分に嵌合状に取り付けて固定具４ｂを打ち込んで固定し、前記支持材７の成形部７１１を鼻隠し壁面５Ａに沿わせて縦面７１１ａからビス（固定具）７ｂを打ち込んで固定した。
その後、取り付けた支持材７の上方保持部７４及び下方保持部７３に、軒樋１の内側面が保持されるように軒先下方側から配設して内側面１３を保持させ、この状態で内側面１３にビス１ｂを打ち込んで固定する。
そして、吊り材３の係合部３１を軒先側から軒先唐草４の被固定部４３に沿わせ（係合させ）、図２（ｂ）に示すように吊り材３の固定部３２を、軒先唐草４の被固定部４３に沿わせ、ビス（固定具）３ｂを打ち込んで固定する。
【００３１】
続いてカバー材２を、軒樋１の開放上面を覆うように配設するが、軒樋１には前述のように既に吊り材３が配設されているので、該吊り材３の上面にカバー材２を被覆状に配設する。
その際、図２（ｂ）に示すようにカバー材２の軒先端２２を、前記軒樋１の係合受部１２１の上端に緩く係合（仮止め）させた状態でビス（固定具）２ｂを打ち込んで吊り材３の係合部３１と共に強固に固定すると共に、カバー材２の上端部２３を、吊り材３の固定部３２に沿わせ、軒先成形部６２の裏面側に挟み込むように固定する。
【００３２】
このように施工される第１実施例の軒先構造は、軒樋１の軒先側の側面上端を、建築物の外装下地５Ｃに固定した吊り材３にて抱持状に（引っ張り上げるように）保持している構造であり、軒樋１を優れた意匠性で且つ高い支持強度にて保持できる。また、吊り材３の材質や形状を限定しないし、カバー材２の材質や形状を限定しないので、軒樋１を優れた意匠性で且つ高い支持強度にて保持できる。しかも吊り材３は、カバー材２の裏面側に位置し、露出していないため、意匠性を損なうことがない。
【００３３】
また、この第１実施例では、吊り材３を帯状材に形成したので、適宜に複数の吊り材３を用いればよく、カバー材２の導水性も妨げられない。即ち吊り材３を広幅に形成した場合には、該吊り材３２よりカバー材２に形成した導水口２１１が塞がれてしまうので、導水性が損なわれてしまうが、帯状材であるからそのような閉塞は生じない。
【００３４】
図３（ａ）に示す本発明の第２実施例の軒先構造は、吊り材３'に躯体（鼻隠し壁面）５Ａ'への固定部３２'を備えるものであって、該固定部３２'は躯体５Ａ'の表面に沿って、その下端に隅部状の被支持部１３１に係止する横片３２１を備える。
なお、この第２実施例では、前記第１実施例における軒先唐草４や支持材７が用いられていない。また、前記鼻隠し壁面５Ａ'は、この第２実施例では略垂直状に配設されている。さらに、軒樋１については、前記第１実施例と全く同様のものを用いたので、図面に同一符号を付して説明を省略する。また、前記鼻隠し壁面５Ａ及びＨ躯体５Ｂ以外の外装構造については略記した。
【００３５】
この第２実施例における吊り材３'は、図３（ｂ）に示すように前述のように固定部３２'が躯体（鼻隠し壁面）５Ａ'に沿う構成、縦面状である構成が前記第１実施例の吊り材３とは明らかに異なる。なお、この吊り材３'の繋ぎ部分３３'の上端付近には、軒先側が開放する溝状部を形成するためのフック状部分３４が設けられている。
また、この吊り材３'の係合部３１'は、繋ぎ部分３３'の下端を斜め下方へ折曲すると共にその下端を内側へ延在させた形状であって、形状が微妙に異なるものの前記第１実施例の係合部３１と同様に軒樋１の係合受部１２１に深く係合できる。
さらに、この吊り材３'の固定部３２'は、前述のように軒樋１の内側面１３の被支持部１３１を保持する横片３２１を備えるので、前記第１実施例における支持材７を用いなくても軒樋１の建築物側の保持機能を有する。要するに前記横片３２１が、前記支持材７の支持部７３、即ち下方保持部に相当する。
【００３６】
また、この第２実施例におけるカバー材２'は、化粧面２１'自体を詳細には示していないが、パンチグメタル板等の成形板であって、その下端である軒先端２２'が形成され、その上端付近に前記吊り材３'のフック状部分（溝状部）３４に差し込まれる上端部２３'が形成されている。
前記軒先端２２'は、化粧面２１'の下端を斜め下方へ折曲すると共にその下端を内側へ延在させた形状であって、前記吊り材３'の係合部３１'の外側に深く係合できる。
前記上端部２３'は、化粧面２１'の上端付近に相当する部位であって、当該第２実施例では、前記吊り材３'のフック状部分３４に差し込まれている。
【００３７】
この第２実施例の軒先構造の施工手順は、まず前記構成の吊り材３'を取付固定し、この固定した吊り材３'に対し、軒樋１を取り付ける。
具体的には躯体（鼻隠し壁面）５Ａ'の所定位置に吊り材３'を配し、固定部３２'にビス（固定具）３ｂを打ち込んで取付固定する。
このように固定した吊り材３'の横片３２１に、内側面１３の被支持部１３１が保持されるように軒樋１を配設し、その内側面１３にビス（固定具）１ｃを打ち込んで鼻隠し壁面５Ａに固定する。
【００３８】
続いてカバー材２'を、軒樋１の開放上面を覆うように配設するが、軒樋１には前述のように吊り材３'が配設されているので、該吊り材３'の外側にカバー材２'を被覆状に配する。その際、カバー材２'の軒先端２２'を、吊り材３'の係合部３１'の外側に係合すると共に、カバー材２'の上端部２３を、吊り材３'のフック状部分（溝状部）３４に差し込んで取り付ける。
【００３９】
このように施工される第２実施例の軒先構造は、軒樋１の軒先側の側面上端を、躯体５Ａ'に固定した吊り材３'にて抱持状に保持している構造であり、軒樋１を優れた意匠性で且つ高い支持強度にて保持できる。
また、この第２実施例では、前記第１実施例のように支持材７を用いない（吊り材３'が代替する）ので、少ない部品にて軒樋１を同様に高い支持強度にて保持できる。
さらに、この第２実施例でも、吊り材３'は、カバー材２'の裏面側に位置し、露出していないため、意匠性を損なうことがない。
【００４０】
図４に示す本発明の第３実施例の軒先構造は、吊り材３"については前記第２実施例における吊り材３'とほぼ同様であるが、カバー材２"として図中に波線で示す金属メッシュ材を用いている。
なお、この第３実施例では、前記第２実施例と同様に前記第１実施例における軒先唐草４や支持材７が用いられず、前記鼻隠し壁面５Ａ'は略垂直状に配設され、軒樋１については前記第１実施例と全く同様のものを用い、図面に同一符号を付して説明を省略する。また、前記鼻隠し壁面５Ａ及びＨ躯体５Ｂ以外の外装構造については略記した。
【００４１】
この第３実施例における吊り材３"は、繋ぎ部分３３"の下端付近に、矩形状の切り込みを形成して切り込み片３３１を裏面側に倒し込んで係止部とし、繋ぎ部分３３"の上端付近に、矩形状の切り込みを形成して切り込み片３３２を表面側に倒し込んで係止部とする以外は、前記第２実施例における吊り材３'とほぼ同様であるから図面に同一符号を付して説明を省略する。
【００４２】
また、この第３実施例におけるカバー材２"は、前述のように金属メッシュ材（金網状材）であって、変形が可能な柔軟性を備えるので、基本的には軒樋１の図面の奥行き方向から手前側へ内側に押し込むように配設する。
即ちカバー材２"の軒先端及び構造物側端をそれぞれ軒樋１の内側に位置するように押し込み、前記吊り材３"の上面に敷設したカバー材２"に対し、前記切り込み片３３２を表面側に倒し込み、前記切り込み片３３１を裏面側に倒し込んで固定する。
【００４３】
この第３実施例の軒先構造の施工手順は、まず前記構成の吊り材３"を躯体（鼻隠し壁面）５Ａ'の所定位置に取付固定し、この固定した吊り材３"に対し、軒樋１を取り付ける点では前記第２実施例と全く同様である。
【００４４】
続いてカバー材２"を、吊り材３"が配設されていない箇所については、軒樋１の内側に位置するように押し込み、吊り材３"の配設箇所については、その上面を覆うように配設するが、前述のように吊り材３"の繋ぎ部分３３"に形成した切り込み片３３１，３３２に係止されるようにカバー材２"を配設する。
具体的にはカバー材２"は、例えば前記切り込み片３３２に位置する位置にスリットを形成し、前記切り込み片３３１に位置する部分の軒先側が軒樋１の内側に押し込めるように切り込みを入れる等の加工を加えた後、それらの切り込み片３３１，３３２を前述のように裏面側、表面側にそれぞれ倒し込んで係止すればよい。
【００４５】
尤も、軒樋１に対して先に金属メッシュ状のカバー材２"を配設し、その後、その外側に吊り材３"をベルト状に配設して吊り材３"自体がカバー材２"を押さえるようにしてもよい（その場合、前記切り込み片３３１，３３２も裏面側に倒し込んで固定する構成を採用してもよい）。
【００４６】
このように施工される第３実施例の軒先構造は、軒樋１の軒先側の側面上端を、躯体５Ａ'に固定した吊り材３"にて抱持状に保持している構造であり、軒樋１を優れた意匠性で且つ高い支持強度にて保持できる。
また、この第３実施例では、カバー材２"として金属メッシュ材を用いたので、化粧面を形成する労力を必要とせず、容易に該カバー材２"にて軒樋１の内部に雨水を導入させると共に軒樋１の内部に降雪が堆積したり、落ち葉等が侵入、堆積することを防止することができる。
【符号の説明】
【００４７】
１  軒樋
１ｂ，１ｃ  ビス（固着具）
１１  底面
１２  （外）側面
１２１  係合受部
１３  （内）側面
１３１  被支持部
２，２'，２"  カバー材
２ｂ  ビス（固着具）
２１  化粧面
２２  軒先端
２３  上端部
３，３'，３"  吊り材
３ｂ  ビス（固着具）
３１，３１'  係合部
３２，３２'  固定部
３２１  横片（下方保持部）
３３，３３'，３３"  繋ぎ部分
３３１、３３２  切り込み片
３４  フック状部分（溝状部）
４  軒先唐草
４１  取付固定部
４２  被係合部
４３  被固定部
４ｂ  ビス（固着具）
５Ａ  躯体（鼻隠し壁面）
５Ｂ  Ｈ躯体
５Ｃ  外装下地
５ｄ  防水シート
６Ａ  横葺き外装材
６１  面板部
６２  軒側成形部
６ｆ  裏貼り材
７  支持材
７１  縦面
７２  突出片
７３  支持部（下方保持部）
７４  内側空間（上方保持部）
７ｂ  ビス（固着具）
【図１】
2019031825.tif 000003
【図２】
2019031825.tif 000004
【図３】
2019031825.tif 000005
【図４】
2019031825.tif 000006
【手続補正書】
【提出日】平成30年5月30日(2018.5.30)
【手続補正１】
【補正対象書類名】明細書
【補正対象項目名】０００３
【補正方法】変更
【補正の内容】
【０００３】
【特許文献１】特開２０００−３５５９７９号公報
【特許文献２】特開２００２−３１７５３９号公報
【特許文献３】特開２００６−２３３５３６号公報
【特許文献４】特開２００３−２３９４７４号公報
【手続補正２】
【補正対象書類名】明細書
【補正対象項目名】００１４
【補正方法】変更
【補正の内容】
【００１４】
本発明の軒先構造は、前述のように軒樋とカバー材と吊り材とからなり、軒樋とカバー材は、設置部位の条件（軒の長さ、屋根勾配、取り合い等）や作業性等を勘案して長さを設定すればよく、それぞれ通し材でも所定長さのものを用いてもよいし、所定長さや異なる長さのものを組み合わせて用いるようにしてもよい。なお、吊り材は、一端に係合部を有し、他端に固定部を有するものであれば、特に限定するものではなく、カバー材を全面的に覆わない（覆ってしまうと、カバー材の役目、降雪の堆積や落ち葉等の浸入の防止、降雨の導入を妨げる）観点から通し材より所定幅のものが好適に選択され、後述する図示実施例のように帯状材であることが望ましい。
【手続補正３】
【補正対象書類名】明細書
【補正対象項目名】００１５
【補正方法】変更
【補正の内容】
【００１５】
前記軒樋は、雨水等を排水する内部空間を有するものであり、底面と二つの側面とからなる断面略Ｕ字状に形成され、軒先側の側面上端には係合受部を備えている構成である。
この軒樋の係合受部は、吊り材の一端に形成される係合部に係合されるものであればその具体的形状を限定するものではないが、後述する図示実施例のように略Ｌ字状に形成することで、内側が開放するコ字状に形成した係合部に側方（＝軒先側）から容易に係合されることができる。
なお、この軒樋は、複数の軒樋を組み合わせる場合、その性能上、止水処理を施した連結を行うことが好ましい。
この軒樋としては、長さ方向に雨水を排水することができれば、特にその材質を限定するものではなく、各種の金属板材の成型品でも、硬質の樹脂成型品でもよい。
【手続補正４】
【補正対象書類名】明細書
【補正対象項目名】００１６
【補正方法】変更
【補正の内容】
【００１６】
前記カバー材は、前記軒樋の開放上面を覆う部材であって、軒樋の内部に降雪が堆積したり、落ち葉等が侵入、堆積することを防止する部材であって、特にその材質（材料）を限定するものではなく、前述のように通し材でも所定長さのものを用いてもよいし、所定長さや異なる長さのものを組み合わせて用いるようにしてもよい。なお、このカバー材は、軒樋の開放上面の全面を覆うものでも一部のみを覆うものでもよい。
このカバー材の表面には、雨水を内部へ導く導水口、例えば小径のスリット孔が形成され、該導水口の存在により、降雪の堆積や落ち葉等の浸入の防止も果たされる。
このカバー材としては、前述のようにその材質を問わないので、経年の使用により変形しない材料であれば、各種の金属板材の成型品でも硬質の樹脂成型品でもよい。また、ある程度は変形しても、経年に使用により脱離や飛散しないものであれば、金属メッシュ材（金網状材）でもよい。この金属メッシュ材の開口寸法については、前記導水口と同様に広過ぎると落ち葉等の侵入が生じるため、その侵入を防止して雨水を導水できるものであればよい。
なお、脱離や飛散を防止する部位を、このカバー材に形成してもよいし、軒樋又は吊り材に設けていてもよい。
【手続補正５】
【補正対象書類名】明細書
【補正対象項目名】００１７
【補正方法】変更
【補正の内容】
【００１７】
前記吊り材は、一端に係合部を有し、他端に固定部を有する部材であって、前述のように所定幅のものが好ましいが、全てを金属板材の成型品や硬質の樹脂成型品のような同一の材料で作成してもよいし、係合部や固定部を金具等で形成してそれらを連結する繋ぎ部分を前記金具等とは異なる材料にて形成してもよい。なお、前記金具等とは、各種の金属製の成型品や硬質の樹脂成型品を指し、前記異なる材料とは、各種の金属製の成型品や硬質の樹脂成型品を指す。特に繋ぎ部分には、適宜な時期に交換することを前提とすれば、布材料等の有機材料を用いることもできる。